(57)【要約】【課題】長期間、圧力変動の大きな雰囲気で使用したとしても、疲労破壊を引き起こす危険性がないアキュムレータを提供すること。  【解決手段】略カップ形状の金属材製のシェルと、前記シェルの開口部を塞ぐとともに該開口部にかしめ固定された蓋部材と、前記シェル内に配置されたゴム状弾性材製ブラダとからなり、前記シェルと前記ブラダとによって囲まれる気体室には前記シェルの頂部に設けた気体封入孔を介して圧縮気体が封入され、前記蓋部材とブラダとによって囲まれる液体室には、前記蓋部材に設けた液体導入孔を介して外部から液体が導入されるアキュムレータにおいて、前記シェルの前記頂部が外側に湾曲する曲面形状であって、前記気体封入孔を封止しているガスバルブと、前記ガスバルブと前記頂部との間に介在する密封手段とよりなることを特徴とする。【選択図】図１
2008014426.tif 000002
【特許請求の範囲】
【請求項１】
略カップ形状の金属材製のシェル（１）と、前記シェル（１）の開口部を塞ぐとともに該開口部にかしめ固定された蓋部材（２）と、前記シェル（１）内に配置され、略カップ形状であって、その開口部が前記シェルの開口部近傍に液密に保持されているゴム状弾性材製ブラダ（３）とからなり、前記シェル（１）と前記ブラダ（３）とによって囲まれる気体室（４）には前記シェル（１）の頂部（７）に設けた気体封入孔（８）を介して圧縮気体が封入され、前記蓋部材（２）とブラダ（３）とによって囲まれる液体室（５）には、前記蓋部材に設けた液体導入孔（６）を介して外部から液体が導入されるアキュムレータにおいて、前記シェル（１）の前記頂部（７）が外側に湾曲する曲面形状であって、前記気体封入孔（８）を封止しているガスバルブ（９）と、前記ガスバルブ（９）と前記頂部（７）との間に介在する密封手段（１０）とよりなることを特徴とするアキュムレータ。
【請求項２】
前記密封手段（１０）は、前記頂部（７）と前記ガスバルブ（９）に設けた鍔部（８）との間で軸方向に圧縮されていることを特徴とする請求項１記載のアキュムレータ。
【請求項３】
前記密封手段（１０）が、シールワッシャー（１１）であることを特徴とする請求項１または２記載のアキュムレータ。
【請求項４】
前記シールワッシャー（１１）が、金属環（１２）と前記金属環（１２）の内周側に一体的に焼き付けられたゴム状弾性材製シール（１３）で構成されていることを特徴とする請求項３記載のアキュムレータ。
【請求項５】
前記シール（１３）の軸方向厚さが前記金属環（１２）の軸方向厚さよりも厚いことを特徴とする請求項４記載のアキュムレータ。
【請求項６】
前記シール（１３）が前記頂部（７）に向って伸びる環状のリップ（１４）を有していることを特徴とする請求項５記載のアキュムレータ。
【請求項７】
前記シール（１３）が前記頂部（７）と前記鍔部（８）とに向って伸びる環状のリップ（１６）、（１７）を有していることを特徴とする請求項５記載のアキュムレータ。
【請求項８】
前記シール（１３）が0リング形状であることを特徴とする請求項５記載のアキュムレータ。
【発明の詳細な説明】
【技術分野】
【０００１】
本発明は、アキュムレータに関する。
また、本発明は、シェルの耐圧性を高めた、水用ポンプの蓄圧用として用いて有用なアキュムレータに関する。
更に、本発明は、上水や井戸水の蓄圧、衝撃・脈動吸収、配管の温度膨張補償、免震装置の圧力・容積・ショック吸収に有用なアキュムレータに関する。
【０００２】
更にまた、本発明は、長期間、圧力変動の大きな雰囲気で使用したとしても、ガス抜けが無い有用なアキュムレータに関する。
【背景技術】
【０００３】
従来、第５図に記載のアキュムレータが知られている。
この種アキュムレータは、略カップ形状の金属材製のシェル１００と、該シェルの開口部を塞ぐ様にシェルにかしめ固定された蓋部材２００とにより形成された空間内に配置されているゴム状弾性材製ブラダ３００とにより構成されている。このブラダ３００は、略カップ形状であって、その開口部に設けた取付フランジ部がシェル１００と蓋部材２００との間で液密に挟持されている。
【０００４】
そして、シェル１００の頂部７００は平坦な面となっており、この頂部７００に気体封入孔８００が設けられている。
この気体封入孔８００を介して、シェル１００とブラダ３００とに囲まれる気体室４００に圧縮気体が注入される。
そして気体封入孔８００はガスプラグ９００により塞がれている。
【０００５】
このガスプラグ９００とシェル１００の頂部７００との間にはゴム状弾性材製のО―リング５００が介在して、気体室４００からの気体の漏洩を防いでいる。
この様に、シェル１００の頂部７００は平坦な面となっているため、ガスプラグ９００とシェル１００の頂部７００との間に介在するО―リング５００のなじみ性は良いため、О―リング５００の密封機能には、大きな問題はなかった。
【０００６】
しかし、頂部７００は平坦な面となっているため、シェル内の圧力変動により、頂部７００が膨出或いは凹み変形をする可能性があった。
そして、この様な変形を繰り返すことにより、疲労破壊を引き起こす危険性があった。
このため、変形を抑えるために、シェル１００の板厚を必要以上に厚くしなければならないという問題も惹起していた。
【０００７】
【特許文献１】実開平７−２９３０３号公報
【発明の開示】
【発明が解決しようとする課題】
【０００８】
この様に、長期間、圧力変動の大きな雰囲気で使用すると、疲労破壊を引き起こす危険性があった。
また、シェルの板厚を必要以上に厚くする必要があるため、アキュムレータ全体の重量が大きくなると共に、費用が嵩むという問題を招来した。  
【０００９】
本発明は、このような課題に鑑みてなされたものであり、長期間、圧力変動の大きな雰囲気で使用したとしても、疲労破壊を引き起こす危険性がなく、シェルの板厚を極力薄く出来るアキュムレータを提供することを目的とする。
また、本発明は、高い耐久性能が期待できるアキュムレータを提供することを目的とする。
【００１０】
また、本発明は、緩衝性能を損なうことなく、耐圧性を向上させたアキュムレータを提供することを目的とする。
【課題を解決するための手段】
【００１１】
本発明のアキュムレータは、略カップ形状の金属材製のシェルと、前記シェルの開口部を塞ぐとともに該開口部にかしめ固定された蓋部材と、前記シェル内に配置され、略カップ形状であって、その開口部が前記シェルの開口部近傍に液密に保持されているゴム状弾性材製ブラダとからなり、前記シェルと前記ブラダとによって囲まれる気体室には前記シェルの頂部に設けた気体封入孔を介して圧縮気体が封入され、前記蓋部材とブラダとによって囲まれる液体室には、前記蓋部材に設けた液体導入孔を介して外部から液体が導入されるアキュムレータにおいて、前記シェルの前記頂部が外側に湾曲する曲面形状であって、前記気体封入孔を封止しているガスバルブと、前記ガスバルブと前記頂部との間に介在する密封手段とよりなることを特徴とするものである。
【発明の効果】
【００１２】
本発明は、以下に記載されるような効果を奏する。
請求項１記載の発明のアキュムレータによれば、長期間、圧力変動の大きな雰囲気で使用したとしても、安定した緩衝効果を期待することができる。
また、請求項２記載の発明のアキュムレータによれば、気体封入孔からの気体の漏洩を確実に防止できる。
【００１３】
更に、請求項３記載の発明のアキュムレータによれば、たとえ、シェルの頂部が外側に湾曲する曲面形状であっても、密封機能を維持できる。
また、請求項４記載の発明のアキュムレータによれば、シールワッシャーを損傷することなく、シールワッシャーに対し十分な圧縮力を加えることが出来る。
【００１４】
また、請求項５記載の発明のアキュムレータによれば、シールワッシャーの最適な特性を発揮出来る。
また、請求項６記載の発明のアキュムレータによれば、シェルの頂部に対する密封機能を十分発揮出来る。
【００１５】
また、請求項７記載の発明のアキュムレータによれば、シェルとガスプラグとの間の密封機能を良好に維持できる。
また、請求項８記載の発明のアキュムレータによれば、上下面および内周面に対し良好な密封機能を十分発揮出来る。
【発明を実施するための最良の形態】
【００１６】
以下、本発明を実施するための最良の形態について、第１図乃至第４図に基づき説明する。
第1図において、本発明に係るアキュムレータは、略カップ形状の金属材製のシェル１と、該シェル１の開口部を塞ぐ様にシェル１にかしめ固定された蓋部材２とにより形成された空間内に配置されているゴム状弾性材製ブラダ３とにより構成されている。
シェル１の頂部７は、外側に湾曲する曲面形状を呈している。
【００１７】
そして、このブラダ３により、シェル１内は、圧縮性流体である窒素ガスがガス封入孔８から封入されている気体室４と、外部から液体が導入される液体室５とに区分けされている。
ガス封入孔８には、ガスバルブ９が差し込まれ、気体室４からの気体の漏洩を防止している。
このガスバルブ９は、筒状の本体９１と、鍔部８と、本体９１の先端側外周面に形成したねじ溝と、このねじ溝に螺合するナット９２から構成されている。
【００１８】
また、本体９１の内部は、外部から気体を注入する際は気体室４と連通するが、通常は、気体室４の圧力により閉止する逆支弁構造となっている。
そして、鍔部８と頂部７との間には密封手段１０が配置されている。
この密封手段１０は、第2図乃至第4図に示すシールワッシャーが好ましく用いられる。
【００１９】
第２図に示すシールワッシャーは、皿形状で環状の金属環１２の内周側には、ゴム状弾性材製のシール１３が一体的に焼付け固定されている。
そして、このシール１３は内周側下方に伸びるリップ１４を備えている。
このリップ１４は、外側に湾曲する曲面形状を呈しているシェル１の頂部７の外周面に当接して、良好な密封機能を発揮する。
【００２０】
シール１３の軸方向厚さは、金属環１２の軸方向厚さよりも厚く形成されており、シール１３が、過大に圧縮されることを金属環１２が防いでいる。
そして、金属環１２は、シール１３のリップ１４が、頂部７との間で確実な密封機能を発揮出来るようにリップ１４を頂部７の面に押圧している。
【００２１】
第３図に示すシールワッシャーは、板状の金属環１２の内周面には、両方の軸方向内周側に伸びるゴム状弾性材製のリップ１６、１７を備えたシール１３が一体的に焼付け固定されている。
このことにより、鍔部８と頂部７との間の密封をより確実に達成できる。
【００２２】
第４図に示すシールワッシャーは、板状の金属環１２の内周面には、Ｏリング形状のゴム状弾性材製のシール１３が一体的に焼付け固定されている。
このことにより、ガスプラグ９の外周面、鍔部８と頂部７との間の上下面の密封をより確実に達成できる。
【００２３】
このブラダ３は、略カップ形状であって、その開口部に設けた環状の取付フランジ部がシェル１と蓋部材２との間で液密に挟持されている。
また、ブラダ３の材質は、好ましい材料として塩素化ポリエチレンゴムを使用しているが、ブチルゴム、二トリルゴム、ウレタンゴム、エチレン・プロピレンゴム等の他のゴム状弾性体が用途に応じ適宜選択して使用される。
【００２４】
更に、蓋部材２は、略皿形状で、その中心部に、管状の液体導入孔６が設けられている。この蓋部材２の材質は、繊維状補強材が入ったポリプロピレン樹脂であるが、ウレタン樹脂、アクリル樹脂、ＡＢＳ樹脂等の他の樹脂材若しくは金属材が用途に応じ適宜選択して使用される。
【００２５】
以上のことから、本発明を実施するための最良の形態によれば、長期間使用しても安定した緩衝機能が発揮できるアキュムレータとすることができる。
【００２６】
また、本発明は上述の発明を実施するための最良の形態に限らず本発明の要旨を逸脱することなくその他種々の構成を採り得ることはもちろんである。
【図面の簡単な説明】
【００２７】
【図１】アキュムレータにかかる発明の実施の形態を示す断面図である。
【図２】本発明に用いられるシールワッシャーの断面図である。
【図３】本発明に用いられる他のシールワッシャーの断面図である。
【図４】本発明に用いられる他のシールワッシャーの断面図である。
【図５】アキュムレータにかかる従来技術の形態を示す断面図である。
【符号の説明】
【００２８】
１‥‥シェル
２‥‥蓋部材
３‥‥ブラダ
４‥‥気体室
５‥‥液体室
６‥‥液体導入孔
７‥‥頂部
８‥‥鍔部
９‥‥ガスバルブ
１０‥‥密封手段
１１‥‥シールワッシャー
１２‥‥金属環
１３‥‥シール
１４、１６、１７‥‥リップ
【図１】
2008014426.tif 000003
【図２】
2008014426.tif 000004
【図３】
2008014426.tif 000005
【図４】
2008014426.tif 000006
【図５】
2008014426.tif 000007